(57)【要約】  【課題】風路損失を抑制した床ブラシを提供する。  【解決手段】吸込口および吸気口53のそれぞれに連通するとともに電動送風機の吸込側に連通する接続管部12をケース体11に設ける。吸気口53から接続管部12へと吸気風が通過するタービン室55に、吸気風の通過により回転するエアタービン27aを設ける。エアタービン27aを通過した吸気風を導風壁部68により接続管部12へと略直線状に導くことで、風路損失を抑制したまま吸気風を接続管部12へと吸い込むことができる。  【選択図】図１
2006239077.tif 000002
【特許請求の範囲】
【請求項１】
被掃除面に対向する吸込口、および、この吸込口よりも上側に位置する吸気口を備えたケース体と、
このケース体に設けられ、前記吸込口および前記吸気口のそれぞれに連通するとともに電動送風機の吸込側に連通する連通管と、
前記ケース体内に形成され、前記吸気口から前記連通管へと吸気風が通過する風路と、
この風路に設けられ、前記吸気風の通過により回転されるファンと、
前記風路に設けられ、前記ファンの外周の一部に沿って一部が円弧状に形成された導風壁部と、
前記ケース体に設けられ、前記ファンの回転により駆動される回転清掃体とを具備し、
前記ファンは、前記導風壁部と前記連通管の吸込側とが略直線状となるように配設されている
ことを特徴とした電気掃除機の吸込口体。
【請求項２】
開口方向が連通管の中心軸と略一致するように導風壁部に連続して風路に設けられ、吸気口から吸い込んだ吸気風を前記連通管へと排気する吸気風排気口を具備した
ことを特徴とした請求項１記載の電気掃除機の吸込口体。
【請求項３】
電動送風機を収容した掃除機本体と、
前記電動送風機の吸込側に連通管が連通接続される請求項１または２記載の吸込口体と
を具備したことを特徴とした電気掃除機。
【発明の詳細な説明】
【技術分野】
【０００１】
本発明は、吸気風により回転されるファンを有する駆動部により駆動される回転清掃体を備えた電気掃除機およびその吸込口体に関する。
【背景技術】
【０００２】
従来、この種の電気掃除機は、電動送風機を収容した掃除機本体を備えている。この掃除機本体には、電動送風機の吸込側に連通する本体吸込口が開口形成され、この本体吸込口には、手元操作部を備えたホース体、延長管および床ブラシが順次連通接続される。そして、床ブラシは、横長のケース体を備え、このケース体の後部には、延長管およびホース体を介して電動送風機の吸込側に連通接続される吸込管が突設されている。また、ケース体には、吸込管に連通する吸込口が下部に開口形成されているとともに、回転ブラシが回転可能に設けられている。さらに、ケース体の後側の上部の一側には、吸込管に連通する吸気口が開口形成され、これら吸気口と吸込管との間には、エアタービンを収容したタービン室が区画形成されている。そして、このエアタービンは、吸気口から吸込管へと流れる吸気風により回転されることで回転ブラシを回転駆動させる（例えば、特許文献１参照。）。
【特許文献１】特開平９−２４８２６０号（第３頁、図１）
【発明の開示】
【発明が解決しようとする課題】
【０００３】
上述のような電気掃除機の床ブラシでは、回転ブラシの回転効率を向上するために、限られたケース体の大きさの中でもエアタービンを最大限に大きくすることが好ましいので、ケース体の幅方向の中央部の後側寄りにエアタービンが配設されている。
【０００４】
一方で、床ブラシの操作性のバランスを考慮して、吸込管もケース体の幅方向の中心域から後方に突設されている。
【０００５】
このため、エアタービンの外周に沿って円弧状に形成されたタービン室の壁部が、吸込部の先端開口に対して吸気口と反対側に突出するように湾曲してしまい、この壁部により吸込部へと導かれる吸気風の進路がファンの排気位置から吸込開口までの間で湾曲して風路損失が生じるという問題点を有している。
【０００６】
本発明は、このような点に鑑みなされたもので、風路損失を抑制した電気掃除機およびその吸込口体を提供することを目的とする。
【課題を解決するための手段】
【０００７】
本発明は、被掃除面に対向する吸込口、および、この吸込口よりも上側に位置する吸気口を備えたケース体に設けられ、吸込口および吸気口のそれぞれに連通するとともに電動送風機の吸込側に連通する連通管と、ケース体内に形成され、吸気口から連通管へと吸気風が通過する風路と、この風路に設けられ、吸気風の通過により回転されるファンと、風路に設けられ、ファンの外周の一部に沿って一部が円弧状に形成された導風壁部と、ファンの回転により駆動される回転清掃体とを具備し、導風壁部と連通管の吸込側とが略直線状となるようにファンが配設されているものである。
【発明の効果】
【０００８】
本発明によれば、吸気口から吸い込まれファンを通過した吸気風を導風壁部により連通管へと略直線状に導くことで、風路損失を抑制したまま吸気風を連通管へと吸い込むことができる。
【発明を実施するための最良の形態】
【０００９】
以下、本発明の一実施の形態の電気掃除機の構成を図１ないし図４を参照して説明する。
【００１０】
図４において、１は掃除機本体で、この掃除機本体１は、内部に収容された電動送風機２の駆動にて生じる吸気風とともに吸い込んだ塵埃を、着脱可能な図示しない集塵パックにて集塵する。
【００１１】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除する際に作業者が把持する把持部６が基端側に向けて突設されているとともに、掃除機本体１内の電動送風機２などを複数の駆動モードに設定する複数の設定ボタン７が設けられている。
【００１２】
さらに、この手元操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む吸込口体としての床ブラシ９が着脱可能に連通接続されている。
【００１３】
そして、床ブラシ９は、図１、図３および図４に示すように、横長のケース体11と、このケース体11の後部にこのケース体11に対して周方向および上下方向に回動可能に軸支され後端部である下流側が延長管８、ホース体４および本体吸込口３を介して電動送風機２の吸込側に連通接続される連通管としての接続管部12とを備えている。
【００１４】
ケース体11は、図１ないし図３に示すように、上側を開放した下ケース15と、この下ケース15の上側を閉塞する上ケース16と、これら各ケース15，16の間に取り付けられる中ケース17と、各ケース15，16間に挟持されケース体11の一側から前側を通って他側へと連続した緩衝用のバンパ19とを有している。
【００１５】
さらに、ケース体11には、下ケース15により、回転清掃体としての回転ブラシ21を被掃除面としての床面Ｆに対向する下部に回転可能に収容した回転清掃体室22が前側に形成されているとともに、この回転清掃体室22の後方の幅方向の一側である図１に示す右側に、床面Ｆ上の塵埃を吸い込む横長四角形状の吸込口24を下端部に備え接続管部12の吸込側である連通管吸込口としての接続管吸込口12aに連通する吸込室25が上ケース16と中ケース17との間に区画形成され、また、回転清掃体室22の後方に、回転ブラシ21を回転駆動させる駆動部27を収容した駆動室28が各ケース15，16，17により吸込室25に対して気密に区画形成され、さらに、回転清掃体室22の図１に示す左側に、回転ブラシ21の一端部が挿入される側部伝達室29が下ケース15と上ケース16とにより区画形成されている。
【００１６】
そして、駆動部27は、ファンとしてのエアタービン27aと、このエアタービン27aの回転を回転ブラシ21に伝達する伝達部27bとを備えている。
【００１７】
また、下ケース15は、ケース体11の下部を形成するもので、平面視で横長四角形状の下ケース本体31と、この下ケース本体31の図３に示す右側に着脱可能に設けられた閉塞板32と、下ケース本体31の後部から突設され接続管部12の前端側の下部に位置する突出部33とを有し、平面視で凸字状に形成されている。
【００１８】
下ケース本体31は、図示しない複数の螺子により上ケース16および中ケース17と一体的に固定されている。また、この下ケース本体31は、図１および図２に示すように、前端部に、従動輪34がそれぞれ回転自在に軸支される一対の従動輪室35（一方のみ図示）が区画形成されている。さらに、この下ケース本体31は、従動輪室35の後側に横長の前壁部36が設けられ、この前壁部36の上端からは、略水平後方に延出部37が延設され、これら前壁部36と延出部37の両側には、側壁部38，38が連続して形成され、これら前壁部36、延出部37および側壁部38，38の後端には、横長の後壁部39が前壁部36と略平行に形成され、これら前壁部36、延出部37、側壁部38，38および後壁部39により回転清掃体室22が区画形成されている。
【００１９】
また、後壁部39の図１に示す左端部の後方には、下ケース本体31の後方に向けて後方区画壁部40が延設され、この後方区画壁部40により回転清掃体室22の図１に示す左側部に側部伝達室29が区画されている。
【００２０】
ここで、回転清掃体室22に回転可能に設けられている回転ブラシ21は、図３に示すように、軸部材としての略細長円柱状のブラシ組立43と、このブラシ組立43の外周面に螺旋状に取り付けられた清掃部材としてのブラシ部、あるいはブレード部などを備えた複数の清掃部44とを有し、ブラシ組立43の両端部が円筒状の軸受45を介して軸支されて、図２に示すように、清掃部44の先端部が下ケース15の下面よりも下方に突出して床面Ｆに当接可能となっている。
【００２１】
そして、軸受45は、図３に示すように、側壁部38，38にそれぞれ回転可能に軸支されている。さらに、各軸受45は、先端側がそれぞれケース体11内に挿入されており、一端側である図３に示す右側の軸受45が閉塞板32の取り外しにより外部に露出して回転ブラシ21とともにケース体11から取り外し可能となっている。
【００２２】
また、下ケース本体31の図３に示す左側には、回転清掃体室22とケース体11の図３に示す左側部とを連通させる連通溝47が設けられている。
【００２３】
さらに、下ケース本体31の後壁部39の後方、すなわち回転清掃体室22の後方には、吸込口24が図３に示す左側に偏倚して開口形成されている。この吸込口24は、回転ブラシ21が掻き上げた塵埃が床面Ｆに再付着しないように、回転清掃体室22に隣接して設けられている。
【００２４】
そして、閉塞板32は、側部伝達室29の下方に取り付けられるもので、下ケース本体31の回転清掃体室22の一側方の前端部から後端部に亘って長手状に連続し、装着部材48を回動させることにより下ケース本体31に対して着脱可能となっている。
【００２５】
また、突出部33は、下ケース本体31の幅方向の中心域の後部から突設され、この突出部33の両側部には、車輪51，51が回転自在に軸支されている。
【００２６】
一方、上ケース16は、図１および図２に示すように、下ケース15の形状に対応した横長四角形板状に形成されている。また、この上ケース16は、幅方向の中心域の後部が下ケース15の突出部33の基端部の上方に突出し、この突出部33との間で接続管部12を周方向に回動可能に保持している。
【００２７】
さらに、この上ケース16の後側の上部の図１に示す右側には、この駆動室28に連通する複数の小径の丸孔により構成された吸気口53が開口形成されている。
【００２８】
また、中ケース17は、図１および図２に示すように、上ケース16との間に吸気口53の全てに連通しエアタービン27aを収容した風路としてのタービン室55をケース体11の幅方向の吸気口53側に区画するとともに、下ケース15との間に伝達部27bを収容する伝達室56をケース体11の幅方向の吸気口53と反対側に区画するものである。
【００２９】
そして、中ケース17は、吸気口53側から連続した板状の導風部61と、この導風部61に連続し下側が上側よりも径小に形成された漏斗状の漏斗部62とを備え、これら導風部61および漏斗部62と上ケース16との間がタービン室55となり、これら導風部61および漏斗部62と下ケース15との間が伝達室56となっている。
【００３０】
導風部61は、吸気口53から吸い込まれた吸気風を整流および増速しつつ漏斗部62へと導入する部分で、前側の壁部64が漏斗部62の接線方向に沿って傾斜状に形成されて、漏斗部62に向けて幅狭に形成されている。
【００３１】
また、漏斗部62は、導風部61に連続する側板65が傾斜して底板66に連続し下側が径小となる漏斗状に形成され、側板65の前側に、下ケース15の延出部37から後壁部39に亘る部分の上部に位置する段差部65aが設けられ、かつ、底板66の中央部に、エアタービン27aを回転自在に軸支する円筒状のボス部67が上方へと突設されている。
【００３２】
さらに、漏斗部62の外周には、エアタービン27aの外周から略等間隔に離間されるようにこの外周の一部に沿って一部が円弧状に形成された導風壁部68が、壁部64および側板65の後側に連続している。この導風壁部68は、エアタービン27aを通過した吸気風を接続管部12の接続管吸込口12aへと略直線状に導き、この吸気風を側板65の後側に穿設された吸気風排気口としてのタービン室排気口69から接続管部12へと排気するものである。
【００３３】
また、タービン室排気口69は、開口方向が接続管部12の接続管吸込口12aの中心軸と略一致するように導風壁部68の後端に連続して設けられ、接続管吸込口12aに対向している。
【００３４】
そして、タービン室55に収容されているエアタービン27aは、図２に示すように、平面視で円形状の扁平なタービン本体71と、このタービン本体71と一体的に設けられた回転軸72とを有している。
【００３５】
タービン本体71は、図２に示すように、円板状の天板74と、この天板74の下部に複数突設されたタービン翼75とを備えている。これらタービン翼75は、吸気風を受けてエアタービン27aを回転させるものであり、タービン本体71の中心軸側から天板74の外周縁に向けて、周方向に湾曲した弧状に形成され、タービン本体71の周方向に互いに略等間隔に離間されている。
【００３６】
また、回転軸72は、ボス部67に挿通され、このボス部67内の下端部に設けられたベアリング77に圧入されて先端が下方へと突出し、この突出した下端部にギア78が嵌着されている。
【００３７】
そして、エアタービン27aは、図１に示すように、床ブラシ９のケース体11の幅方向の中心である接続管部12の中心軸に対して平面視で吸気口53寄りに配設され、タービン本体71の幅方向の中心線、すなわち回転軸72の中心を通りケース体11の前後方向に沿う線から吸気口53側に位置した前部が、吸気風を受ける吸気側となり、幅方向の中心線から吸気口53と反対側に位置した後部が、通過する吸気風の排気側となっている。
【００３８】
さらに、エアタービン27aは、ケース体11の前後方向に沿うタービン本体71の排気側の平面視での接線およびタービン本体71の幅方向の中心線が、それぞれ接続管部12の接続管吸込口12aの幅内に位置している。言い換えると、エアタービン27aの排気側全体が、接続管部12の接続管吸込口12aの幅内に位置し、接続管部12の正面に対向している。すなわち、エアタービン27aの排気側は、接続管部12の中心軸に対して吸気口53と反対側の内縁側部よりも吸気口53側に位置している。
【００３９】
したがって、図１に示すように、導風壁部68と接続管部12の接続管吸込口12aとが略直線状となるように形成され、導風壁部68が、接続管部12の先端の吸気口53と反対側、すなわち図１に示す左側の内縁部とケース体11の前後方向に沿った略同一直線上となっているとともに、図２に示すように、タービン室排気口69の開口縁全体が、接続管吸込口12aの開口縁の内側に含まれている。
【００４０】
また、伝達室56は、ケース体11の図１に示す左側、すなわち吸込室25の側方に区画形成され、回転清掃体室22の後部かつ側部伝達室29の側部に位置している。
【００４１】
そして、この伝達室56に収容された伝達部27bは、いわゆるギアボックスであり、図示しないギアが下部に突設され、このギアとエアタービン27aの回転軸72に設けられたギア78との間にベルト81が巻き掛けられている。また、この伝達部27bには、ギアの回転方向を変換する図示しない傘歯車などに接続された伝達プーリ82が側方に突設されて側部伝達室29に挿入され、この伝達プーリ82には、軸受45との間に伝達ベルト83が巻き掛けられている。
【００４２】
次に、上記一実施の形態の動作を説明する。
【００４３】
まず、作業者は、掃除機本体１の本体吸込口３に、ホース体４、延長管８および床ブラシ９を順次連通接続する。
【００４４】
さらに、作業者が、掃除機本体１から図示しない電源コードを引き出して図示しないコンセントに接続した後、把持部６を把持して所定の設定ボタン７を操作すると、この設定ボタン７により設定された動作モードに応じて電動送風機２が所定の動作モードで駆動される。
【００４５】
次いで、作業者は、把持部６を把持して床面Ｆ上で床ブラシ９を前後に走行させて床面Ｆの塵埃を吸い込む。
【００４６】
このとき、床ブラシ９の下側では吸込口24から空気とともに床面Ｆ上の塵埃が吸い込まれ、床ブラシ９の上側では吸気口53から吸気風が吸い込まれる。
【００４７】
ここで、吸気口53から吸い込まれた吸気風は、導風部61により整流および増速されつつ漏斗部62へと流入し、タービン翼75に当たってエアタービン27aを回転させる。
【００４８】
エアタービン27aの回転により回転された回転軸72の回転は、ギア78およびベルト81を介して伝達部27bへと伝達され、この伝達部27b内で回転方向などが変換されて伝達プーリ82から出力され、この伝達プーリ82の出力が伝達ベルト83を介して軸受45から回転ブラシ21へと伝達され、回転ブラシ21が所定の方向に回転する。
【００４９】
そして、この回転ブラシ21の回転により、清掃部44の先端が床面Ｆに接触してこの床面Ｆ上の塵埃を掻き上げ、この掻き上げられた塵埃は、吸込口24へと空気とともに吸い込まれる。
【００５０】
一方、エアタービン27aを回転させた吸気風は、導風壁部68によりガイドされつつタービン室排気口69から接続管部12の軸方向に沿って導かれ、タービン室排気口69を介して接続管部12の接続管吸込口12aへと直線状に吸い込まれる。
【００５１】
さらに、床ブラシ９から空気とともに吸い込まれた塵埃は、床ブラシ９、延長管８およびホース体４を順次通過した後、掃除機本体１の本体吸込口３へと導かれて、この掃除機本体１内に収容された集塵パックに捕集される。
【００５２】
塵埃が捕集された空気は、電動送風機２へと吸気されて排気風となり、掃除機本体１の図示しない排気口から外部へと排気される。
【００５３】
上述したように、上記一実施の形態では、吸気口53から吸い込まれエアタービン27aを通過した吸気風をタービン室55の導風壁部68により接続管部12の軸方向に沿ってこの接続管部12へと略直線状に導くことで、吸気風が接続管部12へと略直線状に吸い込まれる。
【００５４】
このため、例えばエアタービンを床ブラシの幅方向の略中央に配設する従来の場合のように、エアタービンの排気側位置が接続管部に対してずれ、エアタービンを通過した吸気風の接続管部への風路が円弧状に湾曲する構成と比較して、風路損失したままの状態で吸気風を接続管部12へと吸い込むことができる。
【００５５】
また、エアタービン27aを通過した吸気風を接続管部12へと排気するタービン室排気口69の開口方向を接続管部12の接続管吸込口12aの中心軸と略一致させることで、エアタービン27aを通過した吸気風を接続管部12へと確実に吸い込みでき、風路損失をより抑制できる。
【００５６】
しかも、タービン室排気口69の開口縁全体が接続管吸込口12aの開口縁に含まれるようにタービン室排気口69を形成することで、タービン室排気口69から吸気風を接続管部12へと、より確実に吸い込みできる。
【００５７】
さらに、エアタービン27aを接続管部12の中心軸に対して吸気口53側寄りに配設することで、一定のケース体11の大きさ内でエアタービン27aの大きさを最大限に確保しつつ、エアタービン27aの排気側を接続管部12の正面に配設することが可能になり、このエアタービン27aの回転トルクを確保して、回転ブラシ21の回転駆動力を確保できる。
【００５８】
そして、床ブラシ９のケース体11の幅方向において、ギアなどを含む伝達部27bと反対側寄りにエアタービン27aを配設することで、床ブラシ９の重量バランスを取り易くなり、例えば床ブラシ９を床面Ｆから持ち上げた際などに、床ブラシ９が傾いてしまうことを防止でき、床ブラシ９の操作性を向上できる。
【００５９】
また、風路損失を抑制した床ブラシ９を電気掃除機に用いることで、吸込効率すなわち吸塵性能を確保できる。
【００６０】
なお、上記一実施の形態において、エアタービン27aは、その排気側が接続管部12の中心軸に対して吸気口53と反対側の内縁側部よりも吸気口53側に位置していれば、任意の位置に設けることができる。すなわち、エアタービン27aの排気側の位置が接続管部12の中心軸に対して吸気口53と反対側の内側縁部よりも吸気口53側であれば、導風壁部68を適宜設計することでエアタービン27aを通過した吸気風を接続管部12へと直線状に導くことができる。
【００６１】
また、吸気口53は、吸込口24よりも上側かつケース体11の前側以外の位置であれば、任意の位置に設けることができる。
【００６２】
さらに、電気掃除機としては、キャニスタ型の電気掃除機に限らず、床ブラシ９が掃除機本体１の下面に直接形成されたアップライト型、あるいは、ハンディ型などであっても対応させて用いることができる。
【図面の簡単な説明】
【００６３】
【図１】本発明の一実施の形態の電気掃除機の吸込口体を示す平面図である。
【図２】同上吸込口体を示す縦断面図である。
【図３】同上吸込口体を示す底面図である。
【図４】同上吸込口体を備えた電気掃除機を示す斜視図である。
【符号の説明】
【００６４】
１    掃除機本体
２    電動送風機
９    吸込口体としての床ブラシ
11    ケース体
12    連通管としての接続管部
21    回転清掃体としての回転ブラシ
24    吸込口
27a   ファンとしてのエアタービン
53    吸気口
55    風路としてのタービン室
68    導風壁部
69    吸気風排気口としてのタービン室排気口
Ｆ    被掃除面としての床面
【図１】
2006239077.tif 000003
【図２】
2006239077.tif 000004
【図３】
2006239077.tif 000005
【図４】
2006239077.tif 000006